(57)【要約】【課題】色合い面並びに設置姿勢面において外観が美麗となる状態で、キッチンカウンタの下方に設置することができる食器洗浄機を提供する。【解決手段】洗浄槽の前部の上下幅方向の全体及び横幅方向の全体を覆う扉体が、その後面の係合体Ｅを洗浄槽の係合部Ｆに係合させた状態で、洗浄槽の前部に装着され、上方側の左方の係合作用部Ｅｕと上方側の左方の係合部分Ｆｕとが係合する上方側左方連結部ＵＬ、上方側の右方の係合作用部Ｅｕと上方側の右方の係合部分Ｆｕとが係合する上方側右方連結部ＵＲ、下方側の左方の係合作用部Ｅｓと下方側の左方の係合部分Ｆｓとが係合する下方側左方連結部ＳＬ、及び、下方側の右方の係合作用部Ｅｓと下方側の右方の係合部分Ｆｓとが係合する下方側右方連結部ＳＲの夫々が、係合部分Ｆｕ、Ｆｓに対する係合作用部Ｅｕ、Ｅｓの洗浄槽前後幅方向での位置を変更調節自在に構成されている。【選択図】図１８
2014004242.tif 000002
【特許請求の範囲】
【請求項１】
上部が開口された洗浄槽が、本体ケーシングの前部に形成された洗浄槽挿脱用開口を通して前記本体ケーシングに対して挿脱されることにより、前記本体ケーシングの内部の洗浄運転用の収納位置に収納された収納状態と前記本体ケーシングの前方に引き出された引出し状態とに切換え自在に構成され、
前記洗浄槽の前記収納状態において前記洗浄槽挿脱用開口を閉じる扉体が、その後面に取付けた係合体を前記洗浄槽の前部に設けた係合部に係合させた状態で、前記洗浄槽の前部に装着された食器洗浄機であって、
前記扉体が、前記洗浄槽の前部の上下幅方向の全体及び横幅方向の全体を覆うように構成され、
前記係合体が、上方側の左右一対の係合作用部及び下方側の左右一対の係合作用部を備えるように構成され、
前記係合部が、前記上方側の左右一対の係合作用部が各別に係合する上方側の左右一対の係合部分、及び、前記下方側の左右一対の係合作用部が各別に係合する下方側の左右一対の係合部分を備えるように構成され、
前記上方側の左方の係合作用部と前記上方側の左方の係合部分とが係合する上方側左方連結部、前記上方側の右方の係合作用部と前記上方側の右方の係合部分とが係合する上方側右方連結部、前記下方側の左方の係合作用部と前記下方側の左方の係合部分とが係合する下方側左方連結部、及び、前記下方側の右方の係合作用部と前記下方側の右方の係合部分とが係合する下方側右方連結部の夫々が、前記係合作用部と前記係合部分とを洗浄槽前後幅方向での相対移動を阻止した状態に係合させ、かつ、前記係合部分に対する前記係合作用部の前記洗浄槽前後幅方向での位置を変更調節自在に構成されている食器洗浄機。
【請求項２】
前記係合体が、前記上方側の左方の係合作用部及び前記下方側の左方の係合作用部を上下に備える左方側係合体形成体、及び、前記上方側の右方の上方側係合作用部及び前記下方側の右方の係合作用部を上下に備える右方側係合体形成体を備えるように構成され、
前記上方側左方連結部、前記上方側右方連結部、前記下方側左方連結部、及び、前記下方側右方連結部の夫々が、前記係合作用部と前記係合部分とを、洗浄槽上下幅方向での相対移動を許容する状態で係合させるように構成され、
前記上方側の左方の係合部分又は前記下方側の左方の係合部分に、前記左方側係合体形成体の前記洗浄槽上下幅方向での位置を調節すべく、前記上方側の左方の係合作用部又は前記下方側の左方の係合作用部を前記洗浄槽上下幅方向での位置を変更調節自在に受止め支持する左方側の受止め支持体が設けられ、
前記上方側の右方の係合部分又は前記下方側の右方の係合部分に、前記右方側係合体形成体の前記洗浄槽上下幅方向での位置を調節すべく、前記上方側の右方の係合作用部又は前記下方側の右方の係合作用部を前記洗浄槽上下幅方向での位置を変更調節自在に受止め支持する右方側の受止め支持体が設けられている請求項１記載の食器洗浄機。
【請求項３】
前記左方側係合体形成体を前記扉体に取付ける左方取付け機構及び前記右方側係合体形成体を前記扉体に取付ける右方取付け機構の夫々が、前記扉体の洗浄槽横幅方向の位置を調節自在に構成されている請求項２記載の食器洗浄機。
【請求項４】
前記左方取付け機構が、前記扉体に固定した支持金具に対して前記洗浄槽横幅方向に移動自在に且つ前記扉体の後面から離間する方向への移動を阻止された状態に支持された接続体に対して、前記左方側係合体形成体から連設した連結片を前記洗浄槽横幅方向に一体移動するように係合させ、且つ、前記連結片と前記接続体とに亘って架設される一つの締付け具によって、前記支持金具に対する前記接続体の移動を固定しかつ前記接続体に対する前記連結片の離脱を阻止する状態に固定するように構成され、
前記右方取付け機構が、前記扉体に固定した支持金具に対して前記洗浄槽横幅方向に移動自在に且つ前記扉体の後面から離間する方向への移動を阻止された状態に支持された接続体に対して、前記右方側係合体形成体から連設した連結片を前記洗浄槽横幅方向に一体移動するように係合させ、且つ、前記連結片と前記接続体とに亘って架設される一つの締付け具によって、前記支持金具に対する前記接続体の移動を固定しかつ前記接続体に対する前記連結片の離脱を阻止する状態に固定するように構成されている請求項３に記載の食器洗浄機。
【請求項５】
前記左方取付け機構が、前記左方側係合体形成体における上下の２箇所の夫々に設けられ、
前記右方取付け機構が、前記右方側係合体形成体における上下の２箇所の夫々に設けられている請求項４記載の食器洗浄機。
【発明の詳細な説明】
【技術分野】
【０００１】
本発明は、上部が開口された洗浄槽が、本体ケーシングの前部に形成された洗浄槽挿脱用開口を通して前記本体ケーシングに対して挿脱されることにより、前記本体ケーシングの内部の洗浄運転用の収納位置に収納された収納状態と前記本体ケーシングの前方に引き出された引出し状態とに切換え自在に構成され、前記洗浄槽の前記収納状態において前記洗浄槽挿脱用開口を閉じる扉体が、前記洗浄槽の前部に装着された食器洗浄機に関する。
【背景技術】
【０００２】
かかる食器洗浄機は、通常、キッチンカウンタの下方に、引出し式の収納部等の複数の収納部と並ぶ状態で設置されて、皿や茶碗等の食器類を洗浄するのに使用されることになる。
つまり、洗浄槽を本体ケーシングから引き出した引出し状態にして、皿や茶碗等の食器類を洗浄槽の内部に収容し、その後、洗浄槽を本体ケーシングの内部の収納位置に収納した収納状態にして、洗浄運転を行い、洗浄運転が終了した後においては、洗浄槽を本体ケーシングから引き出した引出し状態にして、皿や茶碗等の食器類を洗浄槽から取出すことになる。
【０００３】
このような食器洗浄機の従来例として、洗浄槽の前部の上方側部分に、操作パネルが設けられ、洗浄槽の前部における操作パネルの下方側部分に、扉体が装備されたものがある（例えば、特許文献１及び特許文献２参照。）。
【０００４】
特許文献１及び特許文献２においては、扉体の表面が、キッチンカウンタの下方に配置される複数の収納部や固定パネル等の設置体の表面と、同一の色調で、同一の図柄となるように構成されて、色合い面において外観を美麗な状態にすることが記載されている。
【０００５】
また、特許文献２においては、扉体の上部を操作パネルに連結した状態において、扉体を、上部を中心にして前後揺動させる形態で、洗浄槽に対して洗浄槽前後幅方向に位置調節できるように構成して、扉体の表面を食器洗浄機の周囲に位置する収納部の表面と前後方向での位置を揃えた状態にすることにより、設置姿勢面において外観を美麗な状態にすることが記載されている。
【先行技術文献】
【特許文献】
【０００６】
【特許文献１】特開２００５−２５３８２４号公報
【特許文献２】特開２０１２−１６３７１号公報
【発明の概要】
【発明が解決しようとする課題】
【０００７】
従来の食器洗浄機においては、扉体の上部には、操作パネルが存在することになり、その操作パネルの表面が、扉体の表面とは異なるものとなる。
つまり、操作パネルには、運転スイッチ等の各種の操作スイッチ類や液晶パネル等の表示部が装備されるものであり、扉体の表面とは異なる外観を呈するものとなる。
【０００８】
したがって、従来の食器洗浄機においては、食器洗浄機の前面の全体を、キッチンカウンタの下方に設置される複数の収納部や固定パネル等の設置体の表面と、同一の色調で、同一の図柄となるように構成できないものとなり、色合い面において十分に外観を美麗な状態にすることができないものであった。
【０００９】
また、従来の食器洗浄機においては、扉体の表面をキッチンカウンタの下方に配置される設置体の表面と前後方向での位置を揃えた状態にするために、扉体を、上部を中心にして前後揺動させる形態で、洗浄槽に対して前後方向に位置調節自在に取付けるようにしているが、扉体の表面とキッチンカウンタの下方に配置される設置体の表面との前後方向での位置を的確に揃えることができない虞があり、設置姿勢面において十分に外観を美麗な状態にすることができないものであった。
【００１０】
つまり、例えば、食器洗浄機の右横側に位置する設置体の表面と、食器洗浄機の左横側に位置する設置体の表面とが前後にずれる虞があるが、このような場合においては、扉体を、上部を中心にして前後揺動させる形態で、洗浄槽に対して洗浄槽前後幅方向に位置調節しても、扉体の表面を、右横側に位置する設置体の表面と、食器洗浄機の左横側に位置する設置体の表面とに揃えることができないことは明らかであり、設置姿勢面において外観を十分に美麗な状態にすることができないものであった。
【００１１】
本発明は、上記実情に鑑みて為されたものであって、その目的は、色合い面並びに設置姿勢面において外観が十分に美麗となる状態で、キッチンカウンタの下方に設置することができる食器洗浄機を提供する点にある。
【課題を解決するための手段】
【００１２】
本発明の食器洗浄機は、上部が開口された洗浄槽が、本体ケーシングの前部に形成された洗浄槽挿脱用開口を通して前記本体ケーシングに対して挿脱されることにより、前記本体ケーシングの内部の洗浄運転用の収納位置に収納された収納状態と前記本体ケーシングの前方に引き出された引出し状態とに切換え自在に構成され、
前記洗浄槽の前記収納状態において前記洗浄槽挿脱用開口を閉じる扉体が、その後面に取付けた係合体を前記洗浄槽の前部に設けた係合部に係合させた状態で、前記洗浄槽の前部に装着されたものであって、その第１特徴構成は、
前記扉体が、前記洗浄槽の前部の上下幅方向の全体及び横幅方向の全体を覆うように構成され、
前記係合体が、上方側の左右一対の係合作用部及び下方側の左右一対の係合作用部を備えるように構成され、
前記係合部が、前記上方側の左右一対の係合作用部が各別に係合する上方側の左右一対の係合部分、及び、前記下方側の左右一対の係合作用部が各別に係合する下方側の左右一対の係合部分を備えるように構成され、
前記上方側の左方の係合作用部と前記上方側の左方の係合部分とが係合する上方側左方連結部、前記上方側の右方の係合作用部と前記上方側の右方の係合部分とが係合する上方側右方連結部、前記下方側の左方の係合作用部と前記下方側の左方の係合部分とが係合する下方側左方連結部、及び、前記下方側の右方の係合作用部と前記下方側の右方の係合部分とが係合する下方側右方連結部の夫々が、前記係合作用部と前記係合部分とを洗浄槽前後幅方向での相対移動を阻止した状態に係合させ、かつ、前記係合部分に対する前記係合作用部の前記洗浄槽前後幅方向での位置を変更調節自在に構成されている点を特徴とする。
【００１３】
すなわち、扉体が、洗浄槽の前部の上下幅方向の全体及び横幅方向の全体を覆うように構成されているから、扉体の表面を、キッチンカウンタの下方に配置される複数の収納部や固定パネル等の設置体の表面と、同一の色調で、同一の図柄となるようにすることによって、食器洗浄機の前面の全体を、キッチンカウンタの下方に設置される複数の収納部や固定パネル等の設置体の表面と、同一の色調で、同一の図柄となるようにすることができるため、色合い面おいて外観を十分に美麗な状態にすることができる。
【００１４】
ちなみに、例えば、食器洗浄機の操作パネルを、扉体の後方側箇所に設置して、洗浄槽を本体ケーシングから少し引き出した状態で、操作パネルを操作するように構成することや、リモコン式の操作部を設けるようにすることによって、扉体が、洗浄槽の前部の上下幅方向の全体及び横幅方向の全体を覆うように構成されていても、食器洗浄機の運転操作を行えるものとなる。
【００１５】
また、係合体が、上方側の左右一対の係合作用部及び下方側の左右一対の係合作用部を備えるように構成され、係合部が、上方側の左右一対の係合作用部が各別に係合する上方側の左右一対の係合部分、及び、下方側の左右一対の係合作用部が各別に係合する下方側の左右一対の係合部分を備えるように構成されている。
【００１６】
そして、上方側の左方の係合作用部と上方側の左方の係合部分とが係合する上方側左方連結部、上方側の右方の係合作用部と上方側の右方の係合部分とが係合する上方側右方連結部、下方側の左方の係合作用部と下方側の左方の係合部分とが係合する下方側左方連結部、及び、下方側の右方の係合作用部と下方側の右方の係合部分とが係合する下方側右方連結部の夫々が、係合作用部と係合部分とを洗浄槽前後幅方向での相対移動を阻止した状態に係合させ、かつ、係合部分に対する係合作用部の洗浄槽前後幅方向での位置を変更調節自在に構成されているから、扉体の表面の洗浄槽前後幅方向での位置を、周辺に位置する設置体の表面に適切に揃えることができ、設置姿勢面において外観を十分に美麗な状態にすることができる。
【００１７】
説明を加えると、上方側左方連結部、上方側右方連結部、下方側左方連結部、及び、下方側右方連結部の夫々が、係合部分に対する係合作用部の洗浄槽前後幅方向での位置を変更調節自在に構成されているから、扉体を洗浄槽前後幅方向に平行移動させる形態で前後位置を調節すること、扉体の上部又は下部を中心にして扉体の下部又は上部を洗浄槽前後幅方向に移動させる形態で前後位置を調節すること、扉体の右側部又は左側部を中心にして扉体の左側部又は右側部を洗浄槽前後幅方向に移動させる形態で前後位置を調節すること、さらに、扉体の上方側の左方部あるいは右方部を中心にして、又は、扉体の下方側の左方部あるいは右方部を中心にして、扉体を洗浄槽前後幅方向に移動させる形態で前後位置を調節すること等、種々の形態で扉体の前後位置を調節することができるため、洗浄槽に対する扉体の位置（姿勢）を様々に調節することができる。
【００１８】
このように、扉体の前後位置を種々の形態で調節することができるから、キッチンカウンタの下方に、複数の収納部や固定パネル等の設置体と並べて食器洗浄機を設置した状態において、例えば、食器洗浄機の右横側に位置する設置体の表面と、食器洗浄機の左横側に位置する設置体の表面とが前後にずれている場合においても、扉体の右側縁部の洗浄槽前後幅方向での位置を、食器洗浄機の右横側に位置する設置体の表面に揃え、扉体の左側縁部の洗浄槽前後幅方向での位置を、食器洗浄機の左横側に位置する設置体の表面に揃えることができる等、扉体の表面の前後方向での位置をキッチンカウンタの下方に配置される設置体の表面に適切に揃えることができるため、設置姿勢面において外観を十分に美麗な状態にすることができる。
【００１９】
要するに、本発明の第１特徴構成によれば、色合い面並びに設置姿勢面において外観が十分に美麗となる状態で、キッチンカウンタの下方に設置することができる食器洗浄機を提供できる。
【００２０】
本発明の第２特徴構成は、上記した第１特徴構成に加えて、
前記係合体が、前記上方側の左方の係合作用部及び前記下方側の左方の係合作用部を上下に備える左方側係合体形成体、及び、前記上方側の右方の上方側係合作用部及び前記下方側の右方の係合作用部を上下に備える右方側係合体形成体を備えるように構成され、
前記上方側左方連結部、前記上方側右方連結部、前記下方側左方連結部、及び、前記下方側右方連結部の夫々が、前記係合作用部と前記係合部分とを、洗浄槽上下幅方向での相対移動を許容する状態で係合させるように構成され、
前記上方側の左方の係合部分又は前記下方側の左方の係合部分に、前記左方側係合体形成体の前記洗浄槽上下幅方向での位置を調節すべく、前記上方側の左方の係合作用部又は前記下方側の左方の係合作用部を前記洗浄槽上下幅方向での位置を変更調節自在に受止め支持する左方側の受止め支持体が設けられ、
前記上方側の右方の係合部分又は前記下方側の右方の係合部分に、前記右方側係合体形成体の前記洗浄槽上下幅方向での位置を調節すべく、前記上方側の右方の係合作用部又は前記下方側の右方の係合作用部を前記洗浄槽上下幅方向での位置を変更調節自在に受止め支持する右方側の受止め支持体が設けられている点を特徴とする。
【００２１】
すなわち、上方側左方連結部、上方側右方連結部、下方側左方連結部、及び、下方側右方連結部の夫々が、係合作用部と係合部分とを、洗浄槽上下幅方向での相対移動を許容する状態で係合させさせるように構成されるため、上方側の左方の係合作用部及び下方側の左方の係合作用部を上下に備える左方側係合体形成体、及び、上方側の右方の上方側係合作用部及び下方側の右方の係合作用部を上下に備える右方側係合体形成体が、係合部に対して洗浄槽上下幅方向に位置変更できることになる。
【００２２】
そして、上方側の左方の係合部分又は下方側の左方の係合部分に設けた左方側の受止め支持体によって、上方側の右方の係合作用部又は下方側の右方の係合作用部の洗浄槽上下幅方向での位置を変更調節することにより、左方側係合体形成体の洗浄槽上下幅方向での位置を調節することができ、また、上方側の右方の係合部分又は下方側の右方の係合部分に設けた右方側の受止め支持体によって、上方側の右方の係合作用部又は下方側の右方の係合作用部の洗浄槽上下幅方向での位置を変更調節することにより、右方側係合体形成体の洗浄槽上下幅方向での位置を調節できる。
【００２３】
このように、左方側係合体形成体及び右方側係合体形成体の洗浄槽上下幅方向での位置を変更調節できるものであるから、扉体の洗浄槽上下幅方向での位置を変更調節できるものとなり、設置姿勢面において外観を一層美麗な状態にすることができる。
【００２４】
つまり、キッチンカウンタの下方に、複数の収納部や固定パネル等の設置体と並べて食器洗浄機を設置した状態において、例えば、食器洗浄機の扉体と、食器洗浄機の下方に位置する引出し式収納部の表面部との間隔が、広すぎる場合や狭すぎる場合において、その間隔が適切な間隔となるように、扉体の洗浄槽上下幅方向での位置を変更調節する等、扉体の洗浄槽上下幅方向での位置を、キッチンカウンタの下方に配置する設置体との関係において適正な位置に調節して、設置姿勢面において外観を一層美麗な状態にすることができるのである。
【００２５】
しかも、上方側の左方の係合作用部及び下方側の左方の係合作用部を上下に備える左方側係合体形成体、及び、上方側の右方の上方側係合作用部及び下方側の右方の係合作用部を上下に備える右方側係合体形成体を、係合部に対して洗浄槽上下幅方向に位置変更させることによって、扉体の洗浄槽上下幅方向での位置を変更調節するものであるから、扉体の洗浄槽上下幅方向での位置を変更調節する際に、左方側係合体形成体を扉体に取付ける箇所や、右方側係合体形成体を扉体に取付ける箇所に大きな負荷が作用することを回避できるため、左方側係合体形成体や右方側係合体形成体を扉体に取付ける強度の低下を図ることができる等、実施製作面において有利となる。
【００２６】
説明を加えると、左方側係合体形成体や右方側係合体形成体を装備しないで、上方側の左方の係合作用部を構成する部材及び下方側の左方の係合作用部を構成する部材を、各別に扉体に取付け、かつ、上方側の右方の上方側係合作用部を構成する部材及び下方側の右方の係合作用部を構成する部材を、各別に扉体に取付けるようにする。
【００２７】
そして、上方側の左方の係合部分又は下方側の左方の係合部分に設けた左方側の受止め支持体によって、上方側の左方の係合作用部又は下方側の左方の係合作用部の洗浄槽上下幅方向での位置を変更調節し、かつ、上方側の右方の係合部分又は下方側の右方の係合部分に設けた右方側の受止め支持体によって、上方側の右方の係合作用部又は下方側の右方の係合作用部の洗浄槽上下幅方向での位置を変更調節することにより、扉体の洗浄槽上下幅方向での位置を変更調節することが考えられる。
【００２８】
しかしながら、このような構成の場合には、上方側の左方の係合作用部を構成する部材と、下方側の左方の係合作用部を構成する部材とが、扉体を介して接続されるものであるから、左方側の受止め支持体によって、上方側の左方の係合作用部と下方側の左方の係合作用部とのうちの一方を、洗浄槽上下幅方向での位置を変更調節すると、その変更調節に伴って、扉体が洗浄槽上下幅方向に移動し、上方側の左方の係合作用部と下方側の左方の係合作用部とのうちの他方が、扉体の洗浄槽上下幅方向の移動に伴って、洗浄槽上下幅方向に移動することになる。
【００２９】
そして、上方側の左方の係合作用部が上方側の左方の係合部分に対して上下方向に移動するには、摺接抵抗が存在し、また、下方側の係合作用部が下方側の左方の係合部分に対して上下方向に移動するには、摺接抵抗が存在することになる。
その結果、扉体の洗浄槽上下幅方向での位置を変更調節する際に、上方側の左方の係合作用部を構成する部材を扉体に取付ける箇所や、下方側の左方の係合作用部を構成する部材を扉体に取付ける箇所に、大きな負荷が作用することになる。
【００３０】
同様に、上方側の右方の上方側係合作用部を構成する部材と、下方側の右方の係合作用部を構成する部材とが、扉体を介して接続されるものであるから、上述した、上方側の左方の係合作用部と下方側の左方の係合作用部との洗浄槽上下幅方向での位置を変更調節する場合と同様に、扉体の洗浄槽上下幅方向での位置を変更調節する際に、上方側の右方の係合作用部を構成する部材を扉体に取付ける箇所や、下方側の右方の係合作用部を構成する部材を扉体に取付ける箇所に、大きな負荷が作用することになる。
【００３１】
これに対して、本第２特徴構成によれば、左方側の受止め支持体によって、上方側の左方の係合作用部と下方側の左方の係合作用部とのうちの一方を、洗浄槽上下幅方向での位置を変更調節すると、その変更調節に伴って、左方側係合体形成体が洗浄槽上下幅方向に移動して、上方側の左方の係合作用部と下方側の左方の係合作用部とのうちの他方が、扉体の洗浄槽上下幅方向の移動するものであるから、左方側係合体形成体を扉体に取付ける箇所大きな負荷が作用することを回避できるである。
【００３２】
同様に、右方側の受止め支持体によって、上方側の右方の係合作用部と下方側の右方の係合作用部とのうちの一方を、洗浄槽上下幅方向での位置を変更調節すると、その変更調節に伴って、右方側係合体形成体が洗浄槽上下幅方向に移動して、上方側の右方の係合作用部と下方側の右方の係合作用部とのうちの他方が、扉体の洗浄槽上下幅方向の移動するものであるから、右方側係合体形成体を扉体に取付ける箇所に大きな負荷が作用することを回避できるである。
【００３３】
要するに、本発明の第２特徴構成によれば、上記第１特徴構成による作用効果に加えて、設置姿勢面において外観を一層美麗な状態にすることができ、しかも、左方側係合体形成体を扉体に取付ける箇所や、右方側係合体形成体を扉体に取付ける箇所に大きな負荷が作用することを回避して、実施製作面において有利となる食器洗浄機を提供できる。
【００３４】
本発明の第３特徴構成は、上記した第２特徴構成に加えて、
前記左方側係合体形成体を前記扉体に取付ける左方取付け機構及び前記右方側係合体形成体を前記扉体に取付ける右方取付け機構の夫々が、前記扉体の洗浄槽横幅方向の位置を調節自在に構成されている点を特徴とする。
【００３５】
すなわち、左方側係合体形成体を扉体に取付ける左方取付け機構及び右方側係合体形成体を扉体に取付ける右方取付け機構の夫々が、扉体の洗浄槽横幅方向の位置を調節自在に構成されているから、設置姿勢面において外観を一層美麗な状態にすることができる。
【００３６】
つまり、キッチンカウンタの下方に、複数の収納部や固定パネル等の設置体と並べて食器洗浄機を設置した状態において、例えば、食器洗浄機の扉体と、食器洗浄機の横側に位置する引出し式収納部の表面部との間隔が、広すぎる場合や狭すぎる場合において、その間隔が適切な間隔となるように、扉体の洗浄槽横幅方向での位置を変更調節する等、扉体の洗浄槽横幅方向での位置を、キッチンカウンタの下方に配置する設置体との関係において適正な位置に調節して、設置姿勢面において外観を一層美麗な状態にすることができるのである。
【００３７】
要するに、本発明の第３特徴構成によれば、上記第１又は第２特徴構成による作用効果に加えて、設置姿勢面において外観を一層美麗な状態にすることができる食器洗浄機を提供できる。
【００３８】
本発明の第４特徴構成は、上記第３特徴構成に加えて、
前記左方取付け機構が、前記扉体に固定した支持金具に対して前記洗浄槽横幅方向に移動自在に且つ前記扉体の後面から離間する方向への移動を阻止された状態に支持された接続体に対して、前記左方側係合体形成体から連設した連結片を前記洗浄槽横幅方向に一体移動するように係合させ、且つ、前記連結片と前記接続体とに亘って架設される一つの締付け具によって、前記支持金具に対する前記接続体の移動を固定しかつ前記接続体に対する前記連結片の離脱を阻止する状態に固定するように構成され、
前記右方取付け機構が、前記扉体に固定した支持金具に対して前記洗浄槽横幅方向に移動自在に且つ前記扉体の後面から離間する方向への移動を阻止された状態に支持された接続体に対して、前記右方側係合体形成体から連設した連結片を前記洗浄槽横幅方向に一体移動するように係合させ、且つ、前記連結片と前記接続体とに亘って架設される一つの締付け具によって、前記支持金具に対する前記接続体の移動を固定しかつ前記接続体に対する前記連結片の離脱を阻止する状態に固定するように構成されている点を特徴とする。
【００３９】
すなわち、左方取付け機構は、扉体の洗浄槽横幅方向での位置を変更調節する際には、締結具を緩めた状態して、扉体に固定した支持金具に対して、左方側係合体形成体から連設した連結片が係合する接続体を洗浄槽横幅方向に移動させることになり、そして、調節が終了すると、締付け具を締付けることによって、支持金具に対する接続体の移動を固定しかつ接続体に対する連結片の離脱を阻止する状態に固定することになる。
【００４０】
同様に、右方取付け機構は、扉体の洗浄槽横幅方向での位置を変更調節する際には、締結具を緩めた状態して、扉体に固定した支持金具に対して、右方側係合体形成体から連設した連結片が係合する接続体を洗浄槽横幅方向に移動させることになり、そして、調節が終了すると、締付け具を締付けることによって、支持金具に対する接続体の移動を固定しかつ接続体に対する連結片の離脱を阻止する状態に固定することになる。
【００４１】
このように、左方取付け機構及び右方取付け機構の夫々は、一つの締付け具を、支持金具に対する接続体の移動の固定と接続体に対する連結片の離脱を阻止する状態の固定とに兼用するものであるから、左方側係合体形成体及び右方側係合体形成体を扉体に取付ける構成の簡素化を図ることができるのである。
【００４２】
要するに、本発明の第４特徴構成によれば、上記した第３特徴構成による作用効果に加えて、左方側係合体形成体及び右方側係合体形成体の取付け構成の簡素化を図ることができる食器洗浄機を提供できる。
【００４３】
本発明の第５特徴構成は、上記した第４特徴構成に加えて、
前記左方取付け機構が、前記左方側係合体形成体における上下の２箇所の夫々に設けられ、
前記右方取付け機構が、前記右方側係合体形成体における上下の２箇所の夫々に設けられている点を特徴とする。
【００４４】
すなわち、左方側係合体形成体が、上下２箇所の左方取付け機構によって、扉体に取付けられ、同様に、右方側係合体形成体が、上下２箇所の右方取付け機構によって、扉体に取付けられることになるから、左方側係合体形成体や右方側係合体形成体が、扉体の上下幅方向に長くなっても、左方側係合体形成体や右方側係合体形成体を、扉体に適切に取付けることができるのである。
【００４５】
つまり、洗浄槽の前部の上下幅方向の全体及び横幅方向の全体を覆うように構成される扉体は、上下幅が大きくなるものであり、扉体の上下幅が大きくになることに合わせて、左方側係合体形成体や右方側係合体形成体が、扉体の上下幅方向に沿って長くなる。
このように、左方側係合体形成体や右方側係合体形成体が、扉体の上下幅方向に長くなっても、左方側係合体形成体を上下２箇所の左方取付け機構によって扉体に取付け、右方側係合体形成体を上下２箇所の右方取付け機構によって扉体に取付けるため、左方側係合体形成体や右方側係合体形成体を扉体に適切に取付けることができるのである。
【００４６】
要するに、本発明の第５特徴構成によれば、上記した第４特徴構成による作用効果に加えて、左方側係合体形成体や右方側係合体形成体を扉体に適切に取付けることができる食器洗浄機を提供できる。
【図面の簡単な説明】
【００４７】
【図１】食器洗浄機の斜視図
【図２】扉体の装着部の一部切欠側面図
【図３】洗浄槽の斜視図
【図４】洗浄槽の正面図
【図５】図４におけるＶ−Ｖ線矢視図
【図６】図２におけるＶＩ−ＶＩ線矢視図
【図７】固定受け金具の斜視図
【図８】洗浄槽側レール部材の斜視図
【図９】洗浄槽に前カバーを装着した状態の斜視図
【図１０】扉体に係合体を装着した状態の斜視図
【図１１】係合体の正面図
【図１２】図１１におけるＸＩＩ−ＸＩＩ線矢視図
【図１３】係合体の下方側係合作用部を示す斜視図
【図１４】図１１におけるＸＩＶ−ＸＩＶ線矢視図
【図１５】上方側係合部分の側面図
【図１６】下方側係合部分の側面図
【図１７】前後位置調節用回転体の斜視図
【図１８】係合体と係合部との連結構成を示す斜視図
【図１９】システムキッチンの斜視図
【図２０】食器洗浄機をキッチンカウンタに装備した状態の欠側面図
【発明を実施するための形態】
【００４８】
〔第１実施形態〕
次に、本発明の実施形態を図面に基づいて説明する。
（食器洗浄機の構成）
図１に示すように、洗浄槽挿脱用開口Ａが前部に形成された直方体状の本体ケーシング１が設けられ、平面視形状が四角状でかつ上部が開口された洗浄槽２が、洗浄槽挿脱用開口Ａを通して本体ケーシング１に対して挿脱されることにより、本体ケーシング１の内部の洗浄運転用の収納位置に収納された収納状態と本体ケーシング１の前方に引き出された引出し状態とに切換え自在に設けられて、引出し式の食器洗浄機Ｓが構成されている。
【００４９】
すなわち、引出し式の食器洗浄機Ｓは、洗浄槽２を本体ケーシング１から引き出した引出し状態において、食器類等の洗浄対象物を洗浄槽２の内部に収納し、洗浄槽２を本体ケーシング１の収納位置に収納した収納状態において、洗浄運転を行うように構成されている。
【００５０】
尚、洗浄槽２の下方には、洗浄ポンプ等の機器類が、洗浄槽２に組付けられた状態で配設され、洗浄槽２の内部には、洗浄ノズルや加熱用ヒータ等が配設され、また、洗浄槽２の内部には、食器類等の洗浄対象物を収納する洗浄カゴが、取出し自在に収納されることになるが、それらの構成は周知であるので、本実施形態においては説明を省略する。
【００５１】
また、洗浄槽２を本体ケーシング１に収納した状態において洗浄槽２の上面部を閉塞する内蓋部が、洗浄槽２を本体ケーシング１から引き出した引出し状態では洗浄槽２の上面部を開口するように、洗浄槽２の引き出し及び収納に伴って自動的に開閉される形態で設けられることになるが、その構成は周知であるので、本実施形態においては説明を省略する。
【００５２】
図１及び図２に示すように、洗浄槽２の前部には、洗浄槽２の収納状態において、本体ケーシング１の洗浄槽挿脱用開口Ａを閉じる矩形板状の扉体３が設けられている。
本実施形態の扉体３は、洗浄槽２の前部の上下幅方向の全体及び横幅方向の全体を覆うように構成され、扉体３の上部側箇所には、引出し操作用の把手部４が設けられている。
具体的には、扉体３は、その横幅が本体ケーシング１の横幅よりも少し大きく、且つ、その上下幅が本体ケーシング１の上下幅と同じ大きさとなるように構成されている。
【００５３】
ちなみに、洗浄槽２の前端部の上方箇所、つまり、扉体３の上部側部分の後方側箇所には、洗浄運転に関する種々の情報を指令する操作パネルＢが装備されており、洗浄槽２を引出し状態にして、操作パネルＢにて洗浄運転に関する情報を入力し、その後、洗浄槽２を収納状態することによって、運転制御部（図示せず）が、操作パネルＢにて入力された情報に基づいて、洗浄ポンプや加熱用ヒータ等を作動させて洗浄運転を実行するように構成されている。
【００５４】
尚、図示はしないが、洗浄槽２を収納状態にロックするロック装置や、洗浄槽２が収納状態であること検出する収納検出装置が装備されおり、上記運転制御部が、洗浄槽２が収納状態であることを確認しながら、洗浄運転を実行するように構成されている。
【００５５】
図１に示すように、洗浄槽２を本体ケーシング１に対して移動自在に支持する左右一対のスライド式レール機構Ｌが、洗浄槽２の底部の左右両端部に対応する箇所に設けられており、洗浄槽２が、引出し状態において、その大部分を本体ケーシング１の外方に露出させる状態に引き出すことができるように構成されている。
【００５６】
つまり、図３〜図５及び図８に示すように、スライド式レール機構Ｌを構成する洗浄槽側レール部材６に、長尺状の洗浄槽接続部材７が装備され、この洗浄槽接続部材７に、洗浄槽２の底部の左右両端部が取付けられている。
尚、洗浄槽側レール部材６は、本体ケーシング１に設けた本体ケーシング側レール部材（図示せず）に対して、スライド自在に係合されることになる。
【００５７】
ちなみに、図３及び図４に示すように、洗浄槽２の左右の側壁２Ｓの下端部には、スライド式レール機構Ｌを覆う下方張出部２ｄが延設され、また、図３及び図６に示すように、洗浄槽２の左右の側壁２Ｓの前端部には、洗浄槽２の前面部に設けた機器類を覆う前方張出部２ｆが延設されている。
尚、下方張出部２ｄと前方張出部２ｆとは、一連に連なる板状に形成されている。
【００５８】
図１９及び図２０に示すように、本実施形態の食器洗浄機Ｓは、システムキッチンＫのキッチンカウンタ８の下方に、引出し式の収納部や固定パネル等の設置体Ｄと並べる状態で設置されるものであって、扉体３の表面が、設置体Ｄの前面部の表面と、同一の色調で、同一の図柄となるように構成されている。
尚、図２０においては、食器洗浄機Ｓの下方に、設置体Ｄとして、引出し式の収納部が配置される場合を例示する。
【００５９】
（扉体の装着構成）
食器洗浄機Ｓの扉体３は、食器洗浄機ＳをシステムキッチンＫに設置する際に、その施工現場にて、洗浄槽２の前部に装着されるものであり、以下、扉体３を洗浄槽２の前部に装着する構成について説明する。
【００６０】
図１０に示すように、扉体３の後面には、係合体Ｅが取付けられ、そして、洗浄槽２の前部には、図３〜図５に示すように、係合部Ｆが設けられている。
従って、扉体３の後面に取付けた係合体Ｅが、洗浄槽２の前部に設けた係合部Ｆに係合された状態で、扉体３が洗浄槽２の前部に装着されることになる。
【００６１】
係合体Ｅは、上方側の左右一対の係合作用部Ｅｕ、及び、下方側の左右一対の係合作用部Ｅｓを備えるように構成され、そして、係合部Ｆが、係合体Ｅに合わせて、上方側の左右一対の係合作用部Ｅｕの夫々が各別に係合する上方側の左右一対の係合部分Ｆｕ、及び、下方側の左右一対の係合作用部Ｅｓの夫々が各別に係合する下方側の左右一対の係合部分Ｆｓを備えるように構成されている。
【００６２】
つまり、図１８に示すように、上方側の左方の係合作用部Ｅｕと上方側の左方の係合部分Ｆｕとが係合する上方側左方連結部ＵＬ、上方側の右方の係合作用部Ｅｕと上方側の右方の係合部分Ｆｕとが係合する上方側右方連結部ＵＲ、下方側の左方の係合作用部Ｅｓと下方側の左方の係合部分Ｆｓとが係合する下方側左方連結部ＳＬ、及び、下方側の右方の係合作用部Ｅｓと下方側の右方の係合部分Ｆｓとが係合する下方側右方連結部ＳＲの夫々が設けられている。
【００６３】
そして、後述するように、上方側左方連結部ＵＬ、上方側右方連結部ＵＲ、下方側左方連結部ＳＬ及び下方側右方連結部ＳＲの夫々が、係合作用部Ｅｕ、Ｅｓと係合部分Ｆｕ、Ｆｓとを洗浄槽前後幅方向での相対移動を阻止した状態に係合させ、かつ、係合部分Ｆｕ、Ｆｓに対する係合作用部Ｅｕ、Ｅｓの洗浄槽前後幅方向での位置を変更調節自在に構成されている。
【００６４】
係合体Ｅについて説明を加えると、本実施形態においては、図１０に示すように、上方側の左方の係合作用部Ｅｕ及び下方側の左方の係合作用部Ｅｓを上下両端に備える金属製の左方側係合体形成体１０Ｌ、及び、上方側の右方の係合作用部Ｅｕ及び下方側の右方の係合作用部Ｅｓを上下両端に備える金属製の右方側係合体形成体１０Ｒが、扉体３の後面に設けられている。
【００６５】
そして、左方側係合体形成体１０Ｌを扉体３に取付ける左方取付け機構ＪＬ及び右方側係合体形成体１０Ｒを扉体３に取付ける右方取付け機構ＪＲの夫々が設けられて、左方側係合体形成体１０Ｌが、左方取付け機構ＪＬによって扉体３に取付けられ、右方側係合体形成体１０Ｒが、右方取付け機構ＪＲによって扉体３に取付けられている。
本実施形態においては、左方取付け機構ＪＬが、左方側係合体形成体１０Ｌにおける上下の２箇所の夫々に設けられ、また、右方取付け機構ＪＲが、右方側係合体形成体１０Ｒにおける上下の２箇所の夫々に設けられている。
【００６６】
左方取付け機構ＪＬ及び右方取付け機構ＪＲの夫々は、扉体３の洗浄槽横幅方向の位置を調節自在に構成されるものであって、具体的には、左方側係合体形成体１０Ｌ及び右方側係合体形成体１０Ｒを、扉体３の後面にビス１１ｄにて止着される支持金具１１に対して、扉体３の横幅方向（洗浄槽横幅方向）に沿って位置調節自在な状態で取付けるように構成されている。
【００６７】
左方側係合体形成体１０Ｌ及び右方側係合体形成体１０Ｒは、左右対称に構成されるものであり、また、左方取付け機構ＪＬ及び右方取付け機構ＪＲは、同様に構成されるものであるため、以下、右方側係合体形成体１０Ｒ及び右方取付け機構ＪＲを代表にして、その構成について説明し、左方側係合体形成体１０Ｌ及び左方取付け機構ＪＬについては、必要に応じて適宜説明を加える。
【００６８】
図１０及び図１１に示すように、右方側係合体形成体１０Ｒは、扉体３の上下幅方向（洗浄槽上下幅方向）に伸びる断面形状Ｌ型の軸状部１０ａの上下両端に、上方側の係合作用部Ｅｕを形成する上方板状部１０ｕ、及び、下方側の係合作用部Ｅｓを形成する下方板状部１０ｓを備えるものであって、扉体３の横幅方向視において、Ｕ字状に構成されている。
つまり、断面形状Ｌ型の軸状部１０ａは、その長手方向視にて、一辺側部分を扉体３の後面に当て付けた状態に装着されるものであって、軸状部１０ａにおける扉体３から起立姿勢となる他辺側部分に、上方板状部１０ｕ及び下方板状部１０ｓが連設されている。
【００６９】
軸状部１０ａにおける上下の支持金具１１に対応する箇所には、扉体３の横幅方向に伸びる二股状の中間板状部１０ｍが、軸状部１０ａにおける扉体３の後面に当て付けられる一辺側部分から連なる状態で形成され、それら中間板状部１０ｍが、支持金具１１に対して、扉体３の横幅方向に移動自在にかつ扉体３の上下幅方向での移動を規制された状態に係合するように構成されている。
つまり、支持金具１１は、扉体３の厚さ方向視（前後幅方向視）にて、帯板状に構成されるものであって、支持金具１１の上下の縁部に対して、中間板状部１０ｍの内縁部が摺接する状態となるように構成されている。
【００７０】
軸状部１０ａにおける上下の支持金具１１に対応する箇所には、扉体３の横幅方向に伸びる逆Ｕ字状の連結片１０ｒが、軸状部１０ａにおける扉体３から起立姿勢となる他辺側部分に連なる状態で形成されている（図１２及び図１３参照）。
【００７１】
支持金具１１は、図１２及び図１３に明示するように、扉体３の後面にビス１１ｄにて止着される板部分１１ａと、逆Ｕ字状の接続部分１１ｂとを、扉体３の横幅方向に並ぶ状態で備える形態に構成されている。
そして、接続部分１１ｂには、接続体１２が装備され、接続部分１１ｂにおける上壁に相当する部分には、扉体３の横幅方向に沿う長孔１３が形成されている。
【００７２】
接続体１２は、図１２〜図１４に示すように、支持金具１１における接続部分１１ｂと扉体３の後面との間に配置される本体部分１２ａと、本体部分１２ａから上方に突出する突出部分１２ｂとを備える状態に形成されている。
本体部分１２ａが、支持金具１１の接続部分１１ｂに形成した長孔１３の横幅よりも大きな横幅を有する状態に形成され、そして、突出部分１２ｂが、支持金具１１の接続部分１１ｂに形成した長孔１３の横幅よりも小さな横幅となる状態に形成されて、長孔１３を通して、接続部分１１ｂの外方に突出するように構成されている。
つまり、接続体１２は、扉体３の横幅方向に移動自在な状態で、支持金具１１の接続部分１１ｂに装着されている。
【００７３】
接続体１２における突出部分１２ｂが、扉体３の横幅方向に沿って二股状となるように形成されている。
そして、右方側係合体形成体１０Ｒにおける連結片１０ｒの先端が、接続体１２に係合するように構成され、かつ、連結片１０ｒを貫通する頭付ボルト１４が、接続体１２に螺合する状態で設けられている。
【００７４】
すなわち、頭付ボルト１４は、連結片１０ｒと接続体１２とに亘って架設されることになり、締め込みに伴って、接続体１２の本体部分１２ａを支持金具１１の接続部分１１ｂに圧接させて、接続体１２の支持金具１１に対する移動を固定し、かつ、連結片１０ｒを接続体１２に向けて押圧して、接続体１２に対する連結片１０ｒの離脱を阻止する状態に固定するように構成されている。
したがって、頭付ボルト１４を操作しながら、右方側係合体形成体１０Ｒの扉体３に対する横幅方向での位置を調節できるように構成されており、左方側係合体形成体１０Ｌも同様である。
【００７５】
つまり、頭付ボルト１４を緩めた状態において、接続体１２の支持金具１１に対する扉体３の横幅方向での位置を変更しながら、右方側係合体形成体１０Ｒの扉体３に対する横幅方向での位置を変更することができ、かつ、頭付ボルト１４を締め付けた状態において、接続体１２の支持金具１１に対する扉体３の横幅方向での移動を固定することによって、右方側係合体形成体１０Ｒの扉体３に対する横幅方向での移動を固定することができるように構成され、左方側係合体形成体１０Ｌについても同様に構成されている。
【００７６】
以上の説明から明らかな如く、本実施形態においては、右方取付け機構ＪＲが、扉体３に固定した支持金具１１に対して洗浄槽横幅方向に移動自在に且つ扉体３の後面から離間する方向への移動を阻止された状態に支持された接続体１２に対して、右方側係合体形成体１０Ｒから連設した連結片１０ｒを洗浄槽横幅方向に一体移動するように係合させ、且つ、連結片１０ｒと接続体１２とに亘って架設される一つの締付け具としての頭付ボルト１４によって、支持金具１１に対する接続体１２の移動を固定しかつ接続体１２に対する連結片１０ｒの離脱を阻止する状態に固定するように構成されている。
【００７７】
また、左方取付け機構ＪＬが、右方取付け機構ＪＲと同様に、扉体３に固定した支持金具１１に対して洗浄槽横幅方向に移動自在に且つ扉体３の後面から離間する方向への移動を阻止された状態に支持された接続体１２に対して、左方側係合体形成体１０Ｌから連設した連結片１０ｒを洗浄槽横幅方向に一体移動するように係合させ、且つ、連結片１０ｒと接続体１２とに亘って架設される一つの締付け具としての頭付ボルト１４によって、支持金具１１に対する接続体１２の移動を固定しかつ接続体１２に対する連結片１０ｒの離脱を阻止する状態に固定するように構成されている。
【００７８】
そして、本実施形態においては、左方取付け機構ＪＬが、左方側係合体形成体１０Ｌの上下２箇所に対応して設けられるものであるから、左方側係合体形成体１０Ｌの扉体３に対する横幅方向での位置を調節する際には、上下２箇所の頭付ボルト１４を操作しながら行うことになる。
同様に、右方取付け機構ＪＲが、右方側係合体形成体１０Ｒの上下２箇所に対応して設けられるものであるから、右方側係合体形成体１０Ｒの扉体３に対する横幅方向での位置を調節する際には、上下２箇所の頭付ボルト１４を操作しながら行うことになる。
【００７９】
尚、扉体３を洗浄槽２の前部に装着した状態においては、左方側係合体形成体１０Ｌや右方側係合体形成体１０Ｒは、洗浄槽２の前部の係合部Ｆに支持された状態になるものであるから、扉体３を洗浄槽２の前部に装着した状態においては、左方側係合体形成体１０Ｌや右方側係合体形成体１０Ｒに対して、扉体３に取付けた支持金具１１の洗浄槽横幅方向での位置が調節されることになり、この調節によって、洗浄槽２に対する扉体３の洗浄槽横幅方向での位置が調節されることになる。
【００８０】
ちなみに、扉体３を洗浄槽２に装着した状態、つまり、扉体３の後面に取付けた係合体Ｅを洗浄槽２の前部に設けた係合部Ｆに係合させて、扉体３を洗浄槽２の前部に装着した状態においては、左方側係合体形成体１０Ｌ及び右方側係合体形成体１０Ｒが、洗浄槽２における左右の前方張出部２ｆの間に位置するものとなるが、図２及び図６に示すように、洗浄槽２における左右の前方張出部２ｆには、頭付ボルト１４を操作するためのボルト操作用孔１５が形成されているため、扉体３を洗浄槽２に装着した状態においても、頭付ボルト１４を操作しながら、洗浄槽２に対する扉体３の洗浄槽横幅方向での位置を調節できるようになっている。
【００８１】
次に、係合体Ｅにおける上方側の左右一対の係合作用部Ｅｕ及び下方側の左右一対の係合作用部Ｅｓ、並びに、係合部Ｆにおける上方側の左右一対の係合部分Ｆｕ及び下方側の左右一対の係合部分Ｆｓを説明する。
尚、上方側の左右一対の係合作用部Ｅｕは同様に構成され、下方側の左右一対の係合作用部Ｅｓも同様に構成されるものであるため、以下、右方側係合体形成体１０Ｒが備える上方側の右方の係合作用部Ｅｕ、及び、下方側の右方の係合作用部Ｅｓを代表として説明し、左方側係合体形成体１０Ｌが備える上方側の左方の係合作用部Ｅｕ、及び、下方側の左方の係合作用部Ｅｓについては、必要に応じて説明を加える。
【００８２】
また、上方側の左右一対の係合部分Ｆｕは同様に構成され、下方側の左右一対の係合部分Ｆｓも同様に構成されるものであるため、係合部Ｆについても、右方側係合体形成体１０Ｒが備える上方側の右方の係合作用部Ｅｕが係合する上方側の右方の係合部分Ｆｕ、及び、下方側の右方の係合作用部Ｅｓが係合する下方側の右方の係合部分Ｆｓを代表として説明し、上方側の左方の係合部分Ｆｕ及び下方側の左方の係合部分Ｆｓについては必要に応じて説明を加える。
【００８３】
図２、図１０及び図１５に示すように、上方側の右方の係合作用部Ｅｕを形成する右方側係合体形成体１０Ｌの上方板状部１０ｕには、上方側の右方の係合部分Ｆｕが備える前後位置調整用回転体１６に上方より係合する下向き開口状の係合孔１７、及び、固定用ボルト１８が挿通する４角状の挿通孔１９が形成されている。
【００８４】
上方側の右方の係合部分Ｆｕは、図３、図５及び図７に示すように、洗浄槽２の前部の上方箇所にビス止めされる横長状の固定受け金具２０の端部に装備されている。
すなわち、固定受け金具２０は、横長枠体状の本体部２０ａと、その本体部２０ａの両端部の前後方向に沿う姿勢の板状部２０ｂとから構成され、その板状部２０ｂに、前後位置調整用回転体１６が回転自在に支持され、また、固定用ボルト１８が螺合する連結孔２１が形成されている。
【００８５】
前後位置調整用回転体１６は、図１７に示すように、マイナスドライバーの先端が係合する係合溝２２を備えた円盤状の頭部１６Ａと、円柱状の軸部１６Ｂとを備えるものであり、軸部１６Ｂが、頭部１６Ａの中心に対して偏心する状態で、頭部１６Ａに対して接続されて、いわゆる偏心式のカム操作体として構成されている。
そして、前後位置調整用回転体１６の軸部１６Ｂが板状部２０ｂに回転自在に嵌合されており、前後位置調整用回転体１６の頭部１６Ａを回転操作することにより、右方側係合体形成体１０Ｌの上方板状部１０ｕを洗浄槽前後幅方向（扉体３の厚さ方向）に移動させることができるように構成されている。
【００８６】
したがって、上方側の右方の係合作用部Ｅｕは、上方側の右方の係合部分Ｆｕが備える前後位置調整用回転体１６に対して下向き開口状の係合孔１７が係合することにより、上方側の右方の係合部分Ｆｕに対する洗浄槽前後幅方向の移動が阻止され、かつ、洗浄槽上下幅方向の移動が許容されることになり、かつ、前後位置調整用回転体１６の回転操作により、上方側の右方の係合部分Ｆｕに対する洗浄槽前後幅方向での位置が調節されることになる。
【００８７】
そして、上方側の左方の係合作用部Ｅｕも、上方側の右方の係合作用部Ｅｕと同様に、上方側の左方の係合部分Ｆｕに対する洗浄槽前後幅方向の移動が阻止され、かつ、洗浄槽上下幅方向の移動が許容されることになり、かつ、前後位置調整用回転体１６の回転操作により、上方側の左方の係合部分Ｆｕに対する洗浄槽前後幅方向での位置が調節されることになる。
【００８８】
固定用ボルト１８は、右方側係合体形成体１０Ｒの上方板状部１０ｕの挿通孔１９を覆う大きさの頭部を備える又は挿通孔１９を覆う大きさの座金を介在させて装着されるものであって、固定受け金具２０の板状部２０ｂの連結孔２１に螺合させて締め付けることにより、右方側係合体形成体１０Ｒの上方板状部１０ｕを固定受け金具２０の板状部２０ｂに密着させた状態に固定するように構成されている。
【００８９】
図２、図１０及び図１６に示すように、下方側の右方の係合作用部Ｅｓを形成する右方側係合体形成体１０Ｒの下方板状部１０ｓには、下方側の右方の係合部分Ｆｓが備える前後位置調整用回転体２３に上方より係合する下向き開口状の係合孔２４、下方側の右方の係合部分Ｆｓが備える上下位置調整用回転体２５に対して上方から接当する接当部２６、及び、固定用ボルト２７が挿通する４角状の挿通孔２８が形成されている。
【００９０】
下方側の右方の係合部分Ｆｕは、図５及び図８に示すように、洗浄槽側レール部材６に装備した洗浄槽接続部材７の前端部に設けられている。
すなわち、洗浄槽接続部材７の前端部に、前後方向に沿う姿勢の板体２９が上方に向けて起立する状態で設けられ、その板体２９に、前後位置調整用回転体２３及び上下位置調整用回転体２５が回転自在に支持され、また、固定用ボルト２７が螺合する連結孔３０が形成されている。
【００９１】
前後位置調整用回転体２３及び上下位置調整用回転体２５は、上方側の係合部分Ｆｕが備える前後位置調整用回転体１６と同様に、いわゆる偏心式のカム操作体として構成されて、板体２９に回転自在に支持されている。
つまり、前後位置調整用回転体２３を回転操作することにより、右方側係合体形成体１０Ｒの下方板状部１０ｓを洗浄槽前後幅方向（扉体３の厚さ方向）に移動させることができ、また、上下位置調整用回転体２５を回転操作することにより、右方側係合体形成体１０Ｒを洗浄槽上下幅方向（扉体３の上下幅方向）に移動させることができるように構成されている。
【００９２】
したがって、下方側の右方の係合作用部Ｅｓは、下方側の右方の係合部分Ｆｓが備える前後位置調整用回転体２３に対して下向き開口状の係合孔２４が係合することにより、下方側の右方の係合部分Ｆｓに対する洗浄槽前後幅方向の移動が阻止され、かつ、洗浄槽上下幅方向の移動が許容されることになり、かつ、前後位置調整用回転体２３の回転操作により、下方側の右方の係合部分Ｆｓに対する洗浄槽前後幅方向での位置が調節されることになる。
【００９３】
そして、下方側の左方の係合作用部Ｅｓも、下方側の右方の係合作用部Ｅｓと同様に、下方側の左方の係合部分Ｆｓに対する洗浄槽前後幅方向の移動が阻止され、かつ、洗浄槽上下幅方向の移動が許容されることになり、かつ、前後位置調整用回転体２３の回転操作により、上方側の左方の係合部分Ｆｕに対する洗浄槽前後幅方向での位置が調節されることになる。
【００９４】
さらに、以上の説明から明らかな如く、上方側の右方の係合作用部Ｅｕ及び下方側の右方の係合作用部Ｅｓが、上下位置調整用回転体２５の回転操作により、上方側の右方の係合部分Ｆｕ及び下方側の右方の係合部分Ｆｓに対する洗浄槽上下幅方向での位置が変更調節されることになる。
同様に、上方側の左方の係合作用部Ｅｕ及び下方側の左方の係合作用部Ｅｓが、上下位置調整用回転体２５の回転操作により、上方側の左方の係合部分Ｆｕ及び下方側の左方の係合部分Ｆｓに対する洗浄槽上下幅方向での位置が変更調節されることになる。
【００９５】
固定用ボルト２７は、上方側の右方の係合部分Ｆｕの固定用ボルト１８と同様に、右方側係合体形成体１０Ｒの下方板状部１０ｓの挿通孔２８を覆う大きさの頭部を備える又は挿通孔２８を覆う大きさの座金を介在させて装着されるものであって、板体２９の連結孔３０に螺合させて締め付けることにより、右方側係合体形成体１０Ｒの下方板状部１０ｓを板体２９に密着させた状態に固定するように構成されている。
【００９６】
また、左方側係合体形成体１０Ｌの上方板状部１０ｕが、固定受け金具２０の板状部２０ｂの横外方側に位置し、かつ、右方側係合体形成体１０Ｒの上方板状部１０ｕが、固定受け金具２０の板状部２０ｂの横外方側に位置するように構成され、また、左方側係合体形成体１０Ｌの下方板状部１０ｓが、洗浄槽接続部材７に装備した板体２９の横外方側に位置し、かつ、右方側係合体形成体１０Ｒの下方板状部１０ｓが、洗浄槽接続部材７に装備した板体２９の横外方側に位置するように構成されることによって、扉体３が洗浄槽横幅方向に移動することが規制されている。
【００９７】
以上の通り、本実施形態においては、上方側左方連結部ＵＬ、上方側右方連結部ＵＲ、下方側左方連結部ＳＬ、及び、下方側右方連結部ＳＲの夫々が、係合作用部Ｅｕ、Ｅｓと係合部分Ｆｕ、Ｆｓとを、洗浄槽上下幅方向での相対移動を許容する状態で係合させるように構成されている。
【００９８】
そして、下方側の左方の係合部分Ｆｓに、左方側係合体形成体１０Ｌの洗浄槽上下幅方向での位置を調節すべく、下方側の左方の係合作用部Ｅｓを洗浄槽上下幅方向での位置を変更調節自在に受止め支持する左方側の受止め支持体として、上下位置調整用回転体２５が設けられることになる。
同様に、下方側の右方の係合部分Ｆｓに、右方側係合体形成体１０Ｒの洗浄槽上下幅方向での位置を調節すべく、下方側の右方の係合作用部Ｅｓを洗浄槽上下幅方向での位置を変更調節自在に受止め支持する右方側の受止め支持体として、上下位置調整用回転体２５が設けられることになる。
【００９９】
ちなみに、扉体３を洗浄槽２に装着するために、扉体３に取付けた係合体Ｅを洗浄槽２の前部に設けた係合部Ｆに係合させた状態においては、左方側係合体形成体１０Ｌ及び右方側係合体形成体１０Ｒが、洗浄槽２における左右の前方張出部２ｆの間に位置するものとなるが、図２、図１５及び図１６に示すように、洗浄槽２における右方側の前方張出部２ｆには、上方側操作用窓３１及び下方側操作用窓３２が形成されている。
【０１００】
そして、上方側操作用窓３１を通して、上方側の右方の係合作用部Ｅｕと上方側の右方の係合部分Ｆｕとの係合状態の確認や、上方側の右方の係合部分Ｆｕが備える前後位置調整用回転体１６の回転操作を行うことができ、加えて、固定用ボルト１８の装着作業を行えるように構成されている。
また、下方側操作用窓３２を通して、下方側の右方の係合作用部Ｅｓと下方側の右方の係合部分Ｆｓとの係合状態の確認や、下方側の右方の係合部分Ｆｓが備える前後位置調整用回転体２３及び上下位置調整用回転体２５の回転操作を行うことができ、加えて、固定用ボルト２７の装着作業を行えるように構成されている。
【０１０１】
ちなみに、図示は省略するが、上方側操作用窓３１及び下方側操作用窓３２は、左方側の前方張出部２ｆにも形成されて、上方側の左方の係合作用部Ｅｕと上方側の左方の係合部分Ｆｕとの係合状態の確認や、下方側の左方の係合作用部Ｅｓと下方側の左方の係合部分Ｆｓとの係合状態の確認等の作業を行えるように構成されている。
【０１０２】
食器洗浄機Ｓの扉体３は、上述の如く、食器洗浄機ＳをシステムキッチンＫに設置する際に、その施工現場にて、洗浄槽２の前部に装着されることになるため、食器洗浄機Ｓの洗浄槽２の前部には、図２、図６及び図９に示すように、合成樹脂製の前カバーＭが装着されて、洗浄槽２の前部に装備した機器類を覆うように構成されている。
【０１０３】
前カバーＭは、平面視形状がコの字状に構成されるものであって、その横幅方向の端部を洗浄槽２の左右の前方張出部２ｆの外方に位置させる状態で、その上部側の左右両側部分が、樹脂製の装着ネジ３３にて洗浄槽２に止着されている。
そして、前カバーＭには、係合体Ｅにおける上方側の左右一対の係合作用部Ｅｕ及び下方側の左右一対の係合作用部Ｅｓを挿通させるために、上下方向に沿う４つのスリット状開口３４が形成されている。
【０１０４】
また、前カバーＭには、図６及び図９に示すように、左方側係合体形成体１０Ｌや右方側係合体形成体１０Ｒにおける支持金具１１との接続部分を挿通させる４つの窓状の挿通開口３５が形成されており、扉体３を洗浄槽２の前部に装着した状態において、前カバーＭを、扉体３と洗浄槽２の間に位置させることができるように構成されている。
尚、前カバーＭの上部側箇所には、扉体３を装着しない状態において、洗浄槽２を引出し操作する仮把手部３６が形成されている。
【０１０５】
ちなみに、図２に示すように、洗浄槽２における前面部の上端箇所には、扉体３の後面と接当するシール部材３７が装備されて、扉体３の洗浄槽２に対する洗浄槽前後幅方向での位置が変更されても、扉体３と洗浄槽２との間に大きな隙間が生じることを抑制するように構成されている。
【０１０６】
次に、扉体３を洗浄槽２に装着する手順について説明を加える。
先ず、扉体３の後面に装着した係合体Ｅにおける上方側の左右一対の係合作用部Ｅｕ及び下方側の左右一対の係合作用部Ｅｓを、前カバーＭのスリット状開口３４を通して、前カバーＭの内部に挿入し、次に、上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させることになる（図１８参照）。
【０１０７】
具体的には、左方側係合体形成体１０Ｌや右方側係合体形成体１０Ｒにおける上方板状部１０ｕの係合孔１７を、上方側の係合部分Ｆｕの前後位置調整用回転体１６に係合させる。
同様に、左方側係合体形成体１０Ｌや右方側係合体形成体１０Ｒにおける下方板状部１０ｓの係合孔２４を、下方側の係合部分Ｆｕの前後位置調整用回転体２３に係合させ、かつ、下方板状部１０ｓの接当部２６を下方側の係合部分Ｆｓの上下位置調整用回転体２５に接当する状態に載せ付ける。
【０１０８】
次に、係合体Ｅにおける上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させた状態において、扉体３の洗浄槽上下幅方向での位置、扉体３の洗浄槽前後幅方向での位置、及び、扉体３の洗浄槽横幅方向での位置を調節することになり、加えて、扉体３の前後方向での傾きや左右方向での傾きを調節することになる。
【０１０９】
具体的には、左右一対の下方側の係合部分Ｆｓに装備した上下位置調整用回転体２５を回転操作することにより、扉体３の洗浄槽上下幅方向での位置を調節する。
また、上方側の左右一対の係合部分Ｆｕに装備した前後位置調整用回転体１６及び下方側の左右一対の係合部分Ｆｓに装備した前後位置調整用回転体２３の回転操作により、扉体３の洗浄槽前後幅方向での位置を調節することになる。
この際、左右の前後位置調整用回転体１６及び左右の前後位置調整用回転体２３の回転操作により、扉体３の上方側の左右両側部分及び下方側の左右両側部分についての洗浄槽前後幅方向での位置を調節することにより、扉体３の前後方向での傾きや左右方向での傾きを調節することができる。
【０１１０】
また、必要に応じて、頭付ボルト１４を操作しながら、左方側係合体形成体１０Ｌや右方側係合体形成体１０Ｒの扉体３に対する横幅方向での位置を調節することによって、扉体３の洗浄槽横幅方向での位置を調節することができる。
【０１１１】
そして、扉体３の洗浄槽２に対する位置調節が終了すると、上方側の左右一対の係合部分Ｆｕに対応する固定用ボルト１８及び下方側の左右一対の係合部分Ｆｓに対応する固定用ボルト２７を締結し、また、４つの頭付ボルト１４を締結する締結作業を行う。
【０１１２】
ちなみに、扉体３を洗浄槽２の前部に装着する作業を行う際には、装着ネジ３３を少し緩めて、前カバーＭを前後に揺動できる状態にしておき、上述した締結作業が終了した段階で、前カバーＭを扉体３後面に密着させるように揺動させ、その後、装着ネジ３３を締め付けて、前カバーＭを固定することになる。
【０１１３】
〔別実施形態〕
次に、別実施形態を列記する。
（１）上記実施形態においては、扉体３の上下幅が、本体ケーシング１の上下幅と同じ幅となる場合を例示したが、扉体３の上下幅を、本体ケーシング１の上下幅よりも大きくする場合についても、本発明は適用できるものである。
【０１１４】
（２）上記実施形態においては、受止め支持体としての上下位置調整用回転体２５が、下方側の左方の係合部分Ｆｕ及び下方側の右方の係合部分Ｆうに設けられる場合を例示したが、受止め支持体としての上下位置調整用回転体２５を、上方側の左方の係合部分Ｆｓ及び上方側の右方の係合部分Ｆｓに設ける形態で実施してもよい。
【０１１５】
（３）上記実施形態においては、受止め支持体として、偏心式のカム操作体として構成された上下位置調整用回転体２５を設ける場合を例示したが、受止め支持体としては、例えば、上下方向に螺進式に移動調節されるボルト状体を設ける等、各種の構成のものを適用できる。
【符号の説明】
【０１１６】
１      本体ケーシング
２      洗浄槽
３      扉体
１０Ｌ  左方側係合体形成体
１０Ｒ  右方側係合体形成体
１０ｒ  連結片
１１    支持金具
１２    接続体
１４    締付け具
２５    受止め支持体
Ａ      洗浄槽挿脱用開口
Ｅ      係合体
Ｅｕ    係合作用部
Ｅｓ    係合作用部
Ｆ      係合部
Ｆｕ    係合部分
Ｆｓ    係合部分
ＪＬ    左方取付け機構
ＪＲ    右方取付け機構
ＳＬ    下方側左方連結部
ＳＲ    下方側右方連結部
ＵＬ    上方側左方連結部
ＵＲ    上方側右方連結部
【図１】
2014004242.tif 000003
【図２】
2014004242.tif 000004
【図３】
2014004242.tif 000005
【図４】
2014004242.tif 000006
【図５】
2014004242.tif 000007
【図６】
2014004242.tif 000008
【図７】
2014004242.tif 000009
【図８】
2014004242.tif 000010
【図９】
2014004242.tif 000011
【図１０】
2014004242.tif 000012
【図１１】
2014004242.tif 000013
【図１２】
2014004242.tif 000014
【図１３】
2014004242.tif 000015
【図１４】
2014004242.tif 000016
【図１５】
2014004242.tif 000017
【図１６】
2014004242.tif 000018
【図１７】
2014004242.tif 000019
【図１８】
2014004242.tif 000020
【図１９】
2014004242.tif 000021
【図２０】
2014004242.tif 000022